(57)【要約】【課題】  放電ランプに印加される電圧値を一定にすることができる放電ランプ点灯装置を提供する。【解決手段】  放電ランプ点灯装置は、放電ランプに交流電流を供給する給電部と、放電ランプに印加されるランプ電圧値を検出する電圧検出部と、ランプ電圧値の目標電圧値を記憶する記憶部と、ランプ電圧値が目標電圧値で一定となるように、電圧検出部が検出した検出電圧値と目標電圧値との偏差に基づいて、給電部が放電ランプに供給する交流電流の周波数及び電流値の少なくとも一方を制御対象として制御する制御部と、を備える。【選択図】  図２
2017079190.tif 000002
【特許請求の範囲】
【請求項１】
所定のガスが封入された放電容器の内部に一対の電極が対向配置される放電ランプに対して、交流電流を供給する給電部と、
前記放電ランプに印加されるランプ電圧値を検出する電圧検出部と、
ランプ電圧値の目標電圧値を記憶する記憶部と、
前記ランプ電圧値が目標電圧値で一定となるように、前記電圧検出部が検出した検出電圧値と前記目標電圧値との偏差に基づいて、前記給電部が前記放電ランプに供給する交流電流の周波数及び電流値の少なくとも一方を制御対象として制御する制御部と、を備える、放電ランプ点灯装置。
【請求項２】
前記放電ランプに交流電流の供給を開始して所定時間が経過した後に前記電圧検出部が検出した電圧値に基づいて、前記目標電圧値を演算する演算部を備える、請求項１に記載の放電ランプ点灯装置。
【請求項３】
前記制御部は、
前記交流電流の周波数が第１周波数である第１制御方式と、前記交流電流の周波数が前記第１周波数以下の第２周波数である第２制御方式とを繰り返すように、前記交流電流の周波数を制御し、そして、
前記検出電圧値と前記目標電圧値との偏差に基づいて、前記第１周波数と前記第２周波数との比を制御する、請求項１又は２に記載の放電ランプ点灯装置。
【請求項４】
前記制御部は、
前記交流電流の周波数が第１周波数である第１制御方式と、前記交流電流の周波数が前記第１周波数以下の第２周波数である第２制御方式とを繰り返すように、前記交流電流の周波数を制御し、そして、
前記検出電圧値と前記目標電圧値との偏差に基づいて、前記第１制御方式で制御する期間と前記第２制御方式で制御する期間との比を制御する、請求項１〜３の何れか１項に記載の放電ランプ点灯装置。
【請求項５】
前記制御部は、前記検出電圧値と前記目標電圧値との偏差に基づいて、前記交流電流の周波数を制御する、請求項１〜４の何れか１項に記載の放電ランプ点灯装置。
【請求項６】
前記制御部は、
前記交流電流が第１電流値である第１制御方式と、前記交流電流が前記第１電流値以上の第２電流値である第２制御方式とを繰り返すように、前記交流電流の電流値を制御し、そして、
前記検出電圧値と前記目標電圧値との偏差に基づいて、前記第１電流値と前記第２電流値との比を制御する、請求項１〜５の何れか１項に記載の放電ランプ点灯装置。
【請求項７】
前記制御部は、
前記交流電流が第１電流値である第１制御方式と、前記交流電流が前記第１電流値以上の第２電流値である第２制御方式とを繰り返すように、前記交流電流の電流値を制御し、そして、
前記検出電圧値と前記目標電圧値との偏差に基づいて、前記第１制御方式で制御する期間と前記第２制御方式で制御する期間との比を制御する、請求項１〜６の何れか１項に記載の放電ランプ点灯装置。
【発明の詳細な説明】
【技術分野】
【０００１】
本発明は、一対の電極が対向配置される放電ランプに交流電流を供給する放電ランプ点灯装置に関する。
【背景技術】
【０００２】
従来、放電ランプとして、ハロゲンガスが封入された放電容器と、放電容器の内部に対向配置される一対の電極とを備える放電ランプが、知られている。また、斯かる放電ランプを点灯させる放電ランプ点灯装置として、放電ランプに交流電流を供給する放電ランプ点灯装置が知られている（例えば、特許文献１）。
【０００３】
放電ランプが点灯することにより、電極は、高温になり、蒸発する。そして、蒸発した金属は、放電容器に封入されたハロゲンガスと結合することにより、放電容器の内面に付着することなく、再び電極に帰還する。斯かる作用は、ハロゲンサイクルと言われている。
【０００４】
ところで、特許文献１に係る放電ランプ点灯装置は、放電ランプに印加される電圧値に基づいて、交流電流の周波数を制御している。しかしながら、交流電流の周波数が、単に予め設定された周波数で制御されているため、例えば、放電ランプの性能のバラつきや、環境の違い等により、放電ランプに印加される電圧値を一定にすることができない場合があった。これにより、例えば、電極を好適な形状で維持することが困難であり、したがって、放電ランプの寿命が短かった。
【先行技術文献】
【特許文献】
【０００５】
【特許文献１】特開２００９−２５２３５２号公報
【発明の概要】
【発明が解決しようとする課題】
【０００６】
よって、本発明は、斯かる事情に鑑み、放電ランプに印加される電圧値を一定にすることができる放電ランプ点灯装置を提供することを課題とする。
【課題を解決するための手段】
【０００７】
放電ランプ点灯装置は、所定のガスが封入された放電容器の内部に一対の電極が対向配置される放電ランプに対して、交流電流を供給する給電部と、前記放電ランプに印加されるランプ電圧値を検出する電圧検出部と、ランプ電圧値の目標電圧値を記憶する記憶部と、前記ランプ電圧値が目標電圧値で一定となるように、前記電圧検出部が検出した検出電圧値と前記目標電圧値との偏差に基づいて、前記給電部が前記放電ランプに供給する交流電流の周波数及び電流値の少なくとも一方を制御対象として制御する制御部と、を備える。
【０００８】
また、放電ランプ点灯装置は、前記放電ランプに交流電流の供給を開始して所定時間が経過した後に前記電圧検出部が検出した電圧値に基づいて、前記目標電圧値を演算する演算部を備える、という構成でもよい。
【０００９】
また、放電ランプ点灯装置においては、前記制御部は、前記交流電流の周波数が第１周波数である第１制御方式と、前記交流電流の周波数が前記第１周波数以下の第２周波数である第２制御方式とを繰り返すように、前記交流電流の周波数を制御し、そして、前記検出電圧値と前記目標電圧値との偏差に基づいて、前記第１周波数と前記第２周波数との比を制御する、という構成でもよい。
【００１０】
また、放電ランプ点灯装置においては、前記制御部は、前記交流電流の周波数が第１周波数である第１制御方式と、前記交流電流の周波数が前記第１周波数以下の第２周波数である第２制御方式とを繰り返すように、前記交流電流の周波数を制御し、そして、前記検出電圧値と前記目標電圧値との偏差に基づいて、前記第１制御方式で制御する期間と前記第２制御方式で制御する期間との比を制御する、という構成でもよい。
【００１１】
また、放電ランプ点灯装置においては、前記制御部は、前記検出電圧値と前記目標電圧値との偏差に基づいて、前記交流電流の周波数を制御する、という構成でもよい。
【００１２】
また、放電ランプ点灯装置においては、前記制御部は、前記交流電流が第１電流値である第１制御方式と、前記交流電流が前記第１電流値以上の第２電流値である第２制御方式とを繰り返すように、前記交流電流の電流値を制御し、そして、前記検出電圧値と前記目標電圧値との偏差に基づいて、前記第１電流値と前記第２電流値との比を制御する、という構成でもよい。
【００１３】
また、放電ランプ点灯装置においては、前記制御部は、前記交流電流が第１電流値である第１制御方式と、前記交流電流が前記第１電流値以上の第２電流値である第２制御方式とを繰り返すように、前記交流電流の電流値を制御し、そして、前記検出電圧値と前記目標電圧値との偏差に基づいて、前記第１制御方式で制御する期間と前記第２制御方式で制御する期間との比を制御する、という構成でもよい。
【発明の効果】
【００１４】
以上の如く、放電ランプ点灯装置は、放電ランプに印加される電圧値を一定にすることができる、という優れた効果を奏する。
【図面の簡単な説明】
【００１５】
【図１】一実施形態に係る放電ランプ点灯装置が交流電流を供給する放電ランプの断面模式図である。
【図２】同実施形態に係る放電ランプ点灯装置のブロック図である。
【図３】同実施形態に係る放電ランプ点灯装置における電流波形を示す図である。
【図４】同実施形態に係る放電ランプ点灯装置の制御を説明する図であって、目標電圧値の演算方法のフロー図である。
【図５】比較例に係る放電ランプ点灯装置のランプ電圧の変動を示す図である。
【図６】図１〜図４に係る放電ランプ点灯装置のランプ電圧の変動を示す図である。
【図７】他の実施形態に係る放電ランプ点灯装置における電流波形を示す図である。
【図８】さらに他の実施形態に係る放電ランプ点灯装置における電流波形を示す図である。
【図９】さらに他の実施形態に係る放電ランプ点灯装置における電流波形を示す図である。
【図１０】さらに他の実施形態に係る放電ランプ点灯装置における電流波形を示す図である。
【図１１】さらに他の実施形態に係る放電ランプ点灯装置における電流波形を示す図である。
【発明を実施するための形態】
【００１６】
以下、放電ランプ点灯装置における一実施形態について、図１〜図６を参酌して説明する。なお、各図（図７〜図１１も同様）において、図面の寸法比と実際の寸法比とは、必ずしも一致していない。ここで、放電ランプ点灯装置の各構成を説明するのに先立って、放電ランプ点灯装置が交流電流を供給する放電ランプについて説明する。
【００１７】
図１に示すように、放電ランプ１０は、中空状の放電容器１１と、放電容器１１の内部に対向配置される一対の電極１２，１２とを備えている。放電ランプ１０は、放電容器１１の両端部に配置される封止部１３，１３と、封止部１３に埋設される金属箔１４と、金属箔１４に接続される外部リード１５とを備えている。
【００１８】
放電容器１１は、球形状に形成されている。放電容器１１は、透光性を有しており、内部で発生した光を外部に向けて放射する。本実施形態においては、放電容器１１は、封止部１３と一体成形されており、石英ガラスで形成されている。なお、放電容器１１及び封止部１３の材料は、石英ガラスに限定されず、他の材料で形成されてもよい。
【００１９】
電極１２は、放電容器１１に収容される頭部１２ａと、頭部１２ａよりも小径に形成され、放電容器１１に固定される軸部１２ｂとを備えている。電極１２は、頭部１２ａの先端に突起部１２ｃを備えている。該突起部１２ｃは、放電ランプ１０が点灯している際に、電極１２の先端において、後述するように電極材料が凝集して形成されるものである。
【００２０】
一対の電極１２，１２（頭部１２ａ，１２ａ）は、例えば、２ｍｍ以下という極めて小さい間隔で対向配置している。本実施形態においては、電極１２は、タングステンで形成されている。なお、電極１２の材料は、タングステンに限定されず、他の材料で形成されてもよい。
【００２１】
金属箔１４は、モリブデン等よりなる導電性を有する材料で形成され、例えば、シュリンクシールにより封止部１３の内部に気密に埋設されている。金属箔１４の一端部は、電極１２の軸部１２ｂの他端部に接合されており、金属箔１４の他端部は、外部リード１５の一端部に接合されている。
【００２２】
放電ランプ１０は、放電容器１１の内部に、発光ガス、ハロゲンガス、及び希ガスを封入している。発光ガスは、放射光を得るためのものであり、本実施形態においては、水銀としている。ハロゲンガスは、ハロゲンサイクルを利用した放電ランプ１０の長寿命化のためであり、本実施形態においては、ヨウ素としている。希ガスは、点灯始動性の改善のためであり、本実施形態においては、アルゴンとしている。なお、封入される各ガスは、上記ガスに限定されず、他のガスでもよい。
【００２３】
水銀は、必要な可視光波長、例えば、波長３６０〜７８０ｎｍの放射光を得るためのものである。水銀は、例えば、放電容器１１の内部に０．２０ｍｇ／ｍｍ３以上封入されている。斯かる封入量は、温度条件によっても異なるが、点灯時における放電容器１１の内部圧力を２００気圧以上という高い蒸気圧を実現するものである。また、水銀をより多く封入することにより、点灯時の水銀蒸気圧が２５０気圧以上又は３００気圧以上という高い水銀蒸気圧の放電ランプ１０を製作することができ、水銀蒸気圧が高くなるほどプロジェクタに適した光源を実現できる。
【００２４】
ハロゲンガスは、水銀又はその他の金属との化合物形態で、放電容器１１の内部に封入されている。ハロゲンガスは、１×１０−６μｍｏｌ／ｍｍ３〜１×１０−２μｍｏｌ／ｍｍ３の範囲から選択され、放電容器１１の内部に封入されている。ハロゲンを封入する最大の理由は、ハロゲンサイクルを利用した放電ランプ１０の長寿命化のためであり、また、極めて小型で且つ高い点灯蒸気圧の放電ランプ１０においては、放電容器１１の失透防止という作用も得られる。
【００２５】
電極１２，１２に対して通電がされると、電極１２が白熱して高温化され、電極１２を構成するタングステンが昇華する。昇華したタングステンは、比較的に低温部である放電容器１１の内壁面領域において、封入されていたハロゲンガスと結合して、ハロゲン化タングステンを形成する。ハロゲン化タングステンの蒸気圧は、比較的高いことから、ガスの状態で再び電極１２の先端付近に再び移動する。
【００２６】
そして、この箇所で再度加熱されると、ハロゲン化タングステンは、ハロゲンとタングステンに分離される。このうちタングステンは、電極１２の先端に戻って凝集され、ハロゲンは、放電容器１１の内部のハロゲンガスとして復帰する。斯かる現象は、ハロゲンサイクルと呼ばれる。なお、この凝集されたタングステンが電極１２の先端近傍に付着することで、突起部１２ｃが形成される。
【００２７】
放電ランプ１０の一実施例として、放電容器１１の最大外径が９．４ｍｍであり、電極１２，１２間の距離が１．０ｍｍであり、放電容器１１の内容積が５５ｍｍ３であり、定格電力（交流）が２５０Ｗである放電ランプ１０が挙げられる。
【００２８】
図２に示すように、本実施形態に係る放電ランプ点灯装置１は、放電ランプ１０を点灯すべく、外部リード１５を経由して放電ランプ１０に交流電流を供給する給電部２を備えている。また、放電ランプ点灯装置１は、給電部２が放電ランプ１０に供給する交流電流を制御する制御装置３と、ユーザに情報が入力される入力部４とを備えている。
【００２９】
給電部２は、供給される直流電圧を所望の直流電圧に降圧する降圧チョッパ部２１と、降圧チョッパ部２１で降圧された直流電圧を所望の周波数の交流電圧に変換するＤＣ／ＡＣ変換部２２とを備えている。給電部２は、放電ランプ１０が始動（点灯）する際に、ＤＣ／ＡＣ変換部２２から供給される交流電圧を昇圧して放電ランプ１０に供給するスタータ部２３を備えている。
【００３０】
制御装置３は、放電ランプ１０に印加される電圧値を検出する電圧検出部３１と、放電ランプ１０に流れる電流値を検出する電流検出部３２とを備えている。そして、制御装置３は、給電部２が放電ランプ１０に供給する交流電流を制御する制御部３３を備えている。また、制御装置３は、情報を取得する情報取得部３４と、情報を記憶している記憶部３５と、情報を演算する演算部３６とを備えている。
【００３１】
制御部３３は、給電部２を制御することにより、放電ランプ１０に供給する電力値を制御する電力制御部３３ａを備えている。具体的には、制御部３３は、電圧検出部３１が検出する電流値と電流検出部３２が検出する電圧値とに基づいて、放電ランプ１０に供給する電力値が一定となるように、降圧チョッパ部２１を制御している。
【００３２】
また、制御部３３は、給電部２のＤＣ／ＡＣ変換部２２を制御することにより、放電ランプ１０に供給する交流電流の周波数を制御する周波数制御部３３ｂを備えている。具体的には、周波数制御部３３ｂは、ＤＣ／ＡＣ変換部２２に出力するパルス信号を制御することにより、放電ランプ１０に供給する交流電流の周波数を制御している。
【００３３】
本実施形態に係る放電ランプ点灯装置１の具体的な回路構成を説明する。なお、本発明に係る放電ランプ点灯装置１の回路構成は、斯かる構成に限られず、他の回路構成でもよい。
【００３４】
降圧チョッパ部２１は、スイッチング素子Ｑｘ、リアクトルＬｘ、ダイオードＤｘ、平滑コンデンサＣｘ、及び抵抗Ｒｘ、及び分圧抵抗Ｒ１，Ｒ２を備えている。
【００３５】
スイッチング素子Ｑｘは、直流電圧Ｖｄｃが供給される＋側電源端子に一端が接続され、他端がリアクトルＬｘの一端に接続される。ダイオードＤｘは、カソード端子がスイッチング素子Ｑｘ及びリアクトルＬｘの接続点に接続され、アノード端子が−側電源端子に接続される。平滑コンデンサＣｘは、一端がリアクトルＬｘの出力側端子に接続され、他端（−側端子）が抵抗Ｒｘの出力側端子に接続される。
【００３６】
抵抗Ｒｘは、平滑コンデンサＣｘの−側端子とダイオードＤｘのアノード端子の間に接続され、電流検出の機能を実現している。また、分圧抵抗Ｒ１，Ｒ２は、平滑コンデンサＣｘの−側端子と＋側端子の間に接続され、電圧検出の機能を実現している。
【００３７】
スイッチング素子Ｑｘは、電力制御部３３ａが出力するゲート信号によって駆動される。このゲート信号のデューティにより、降圧チョッパ部２１は、入力直流電圧Ｖｄｃをこのデューティに応じた電圧に降圧して後段のＤＣ／ＡＣ変換部２２に出力する。
【００３８】
ＤＣ／ＡＣ変換部２２は、ブリッジ状に接続したスイッチング素子Ｑ１〜Ｑ４を備えている（フルブリッジ回路）。
【００３９】
スイッチング素子Ｑ１は、ドライバ２２ａから出力されるゲート信号により駆動される。同様に、スイッチング素子Ｑ２は、ゲート信号により駆動され、スイッチング素子Ｑ３は、ゲート信号により駆動され、スイッチング素子Ｑ４は、ゲート信号により駆動される。ドライバ２２ａは、対角に配置されたスイッチング素子Ｑ１及びＱ４の組と、スイッチング素子Ｑ２及びＱ３の組に対して、交互にオン／オフを繰り返すようにゲート信号を出力する。これにより、スイッチング素子Ｑ１及びＱ２の接続点と、スイッチング素子Ｑ３及びＱ４の接続点の間に、矩形波状の交流電圧が発生する。
【００４０】
スタータ部２３は、コイルＬｈ及びコンデンサＣｈを備えている。放電ランプ１０が始動する際に、コイルＬｈ、コンデンサＣｈからなるＬＣ直列回路の共振周波数近傍の高いスイッチング周波数（例えば数百ｋＨｚ）の交流電圧がＤＣ／ＡＣ変換部２２から印加されることにより、スタータ部２３の２次側において放電ランプ１０の始動に必要な高い電圧が生成され、これが放電ランプ１０に供給される。なお、放電ランプ１０が点灯した後は、ＤＣ／ＡＣ変換部２２から供給される交流電圧の周波数を通常の周波数（例えば、１Ｈｚ〜１０００Ｈｚ）に移行し、通常点灯が行われる。
【００４１】
なお、上記回路において、スタータ部２３に供給される交流電圧の周波数の変更は、ＤＣ／ＡＣ変換部２２におけるスイッチング素子Ｑ１及びＱ４の組と、スイッチング素子Ｑ２及びＱ３の組のオン／オフ切り替えの周期を調整することで達成できる。また、スタータ部２３に供給される交流電圧の波高値の変更は、降圧チョッパ部２１におけるスイッチング素子Ｑｘの動作デューティを調整することで達成できる。
【００４２】
即ち、降圧チョッパ部２１のスイッチング素子Ｑｘは、電力制御部３３ａが出力するゲート信号のデューティに応じたスイッチング周波数でオン／オフし、これにより、放電ランプ１０に供給される電力が変化する。例えば、放電ランプ１０への供給電力を上昇させる場合には、電力制御部３３ａは、所望の電力値となるようにゲート信号のデューティを上げる制御を行う。
【００４３】
本実施形態に係る放電ランプ点灯装置１の構成については以上の通りであり、次に、本実施形態に係る放電ランプ点灯装置１の制御及びそれによる作用について、図３を参酌して説明する。
【００４４】
電力制御部３３ａは、放電ランプ１０に供給する電力値が一定となるように、給電部２を制御している。そして、図３に示すように、周波数制御部３３ｂは、放電ランプ１０に供給する交流電流の周波数が第１周波数ｆ１である第１制御方式と、当該交流電流の周波数が第１周波数ｆ１以下の第２周波数ｆ２である第２制御方式とを繰り返すように、交流電流の周波数を制御している。
【００４５】
そして、周波数制御部３３ｂは、電圧検出部３１が検出した検出電圧値Ｖ１と記憶部３５で記憶されている目標電圧値Ｖ０との偏差に基づいて、第１周波数ｆ１と第２周波数ｆ２との比を制御している。本実施形態においては、周波数制御部３３ｂは、検出電圧値Ｖ１と目標電圧値Ｖ０との偏差に基づいて、第２周波数ｆ２を制御している。
【００４６】
本実施形態においては、第２制御方式は、第２周波数ｆ２の周期の回数を一定としている（図３においては、１周期としている）。したがって、第１周波数ｆ１と第２周波数ｆ２との比を制御することで、結果的に、第１制御方式で制御する第１制御期間Ｔ１と第２制御方式で制御する第２制御期間Ｔ２との比も、制御される。なお、第２制御方式は、半周期を一単位として、ｎ単位（ｎは自然数）、即ち、ｎ／２周期で設定されている。
【００４７】
そして、検出電圧値Ｖ１が目標電圧値Ｖ０よりも大きい場合、周波数制御部３３ｂは、第２周波数ｆ２を小さくし（ｆ２ａ）、その波長を大きくする。これにより、第１周波数ｆ１に対する第２周波数ｆ２ａの比は、小さくなり（ｆ２ａ／ｆ１＜ｆ２／ｆ１）、第１制御期間Ｔ１に対する第２制御期間Ｔ２ａの比は、大きくなる（Ｔ２ａ／Ｔ１＞Ｔ２／Ｔ１）。
【００４８】
反対に、検出電圧値Ｖ１が目標電圧値Ｖ０よりも小さい場合、周波数制御部３３ｂは、第２周波数ｆ２を大きくし（ｆ２ｂ）、その波長を小さくする。これにより、第１周波数ｆ１に対する第２周波数ｆ２ｂの比は、大きくなり（ｆ２ｂ／ｆ１＞ｆ２／ｆ１）、第１制御期間Ｔ１に対する第２制御期間Ｔ２ｂの比は、小さくなる（Ｔ２ｂ／Ｔ１＜Ｔ２／Ｔ１）。
【００４９】
このように、検出電圧値Ｖ１が目標電圧値Ｖ０よりも大きい場合には、電極１２の頭部１２ａの先端の突起部１２ｃの摩耗が進んでおり、これは放電で蒸発した金属が突起部１２ｃに帰還せずに、頭部１２ａの広い範囲に帰還していることが考えられる。したがって、第１周波数ｆ１に対する第２周波数ｆ２の比を小さく（第１制御期間Ｔ１に対する第２制御期間Ｔ２の比を大きく）することで、電極１２の先端部の温度を増加させる。これにより、突起部１２ｃへの金属の帰還、堆積が促進され、電極１２を好適な形状で維持することができると考えられる。
【００５０】
反対に、検出電圧値Ｖ１が目標電圧値Ｖ０よりも小さい場合には、電極１２の頭部１２ａの先端の突起部１２ｃへの金属の堆積が進み、突起部１２ｃの高さが大きいことが考えられる。よって、第１周波数ｆ１に対する第２周波数ｆ２の比を大きく（第１制御期間Ｔ１に対する第２制御期間Ｔ２の比を小さく）することで、電極１２の先端部の温度を低下させる。これにより、突起部１２ｃへの金属の帰還、堆積が抑制され、電極１２を好適な形状で維持することができると考えられる。
【００５１】
なお、各第１制御期間Ｔ１においては、第１周波数ｆ１は、図３に示すように、一つの周波数からなる構成だけでなく、複数の周波数からなる構成でもよい。同様に、各第２制御期間Ｔ２，Ｔ２ａ，Ｔ２ｂにおいては、第２周波数ｆ２，ｆ２ａ，ｆ２ｂは、図３に示すように、一つの周波数からなる構成だけでなく、複数の周波数からなる構成でもよい。
【００５２】
ところで、制御部３３は、検出電圧値Ｖ１と目標電圧値Ｖ０との偏差が最小となるように、制御対象を制御している。例えば、周波数制御部３３ｂは、ＰＩ制御により、第２周波数ｆ２を制御してもよく、また、ＰＩＤ制御により、第２周波数ｆ２を制御してもよい。このように、検出電圧値Ｖ１と目標電圧値Ｖ０との偏差の時間積分値、又は当該偏差の時間積分値と時間微分値を制御量に加味することで、好適な制御を行うことができる。
【００５３】
また、例えば、周波数制御部３３ｂは、検出電圧値Ｖ１と目標電圧値Ｖ０との偏差と、第２周波数ｆ２の変化量とが比例関係となるように、第２周波数ｆ２を制御してもよい。このように、検出電圧値Ｖ１と目標電圧値Ｖ０との偏差が大きいほど、制御対象の変化量が大きくなるように、制御することで、好適な制御を行うことができる。
【００５４】
また、例えば、記憶部３５は、検出電圧値Ｖ１及び目標電圧値Ｖ０間の偏差と第１周波数ｆ１及び第２周波数ｆ２との関係情報（例えば、テーブル）を記憶していてもよい。そして、周波数制御部３３ｂは、検出電圧値Ｖ１と目標電圧値Ｖ０との偏差と、記憶部３５で記憶されている関係情報とに基づいて、第１周波数ｆ１及び第２周波数ｆ２を制御してもよい。
【００５５】
また、制御部３３は、放電ランプ１０が点灯した後に所定時間（例えば、６０〜１２０秒）が経過するまで、即ち、ランプ電圧が安定するまで、検出電圧値Ｖ１と目標電圧値Ｖ０との偏差の大きさに関わらず、予め設定された内容で制御している。同様に、制御部３３は、放電ランプ１０の電力が変更された後に所定時間（例えば、６０〜１２０秒）が経過するまで、即ち、ランプ電圧が安定するまで、検出電圧値Ｖ１と目標電圧値Ｖ０との偏差の大きさに関わらず、予め設定された内容で制御している。
【００５６】
次に、本実施形態に係る放電ランプ点灯装置１の目標電圧値Ｖ０の演算方法について、図４を参酌して説明する。
【００５７】
入力部４に、放電ランプ１０の点灯の指示である点灯指示、又は、放電ランプ１０の電力値の変更の指示である電力変更指示が入力されると、制御装置３の情報取得部３４は、点灯指示又は電力変更指示の情報を取得する。これにより、演算部３６は、目標電圧値の演算を開始する。
【００５８】
まず、演算部３６は、放電ランプ１０が安定した状態か判断する（Ｓ１１）。例えば、演算部３６は、情報取得部３４が点灯指示又は電力変更指示を取得して所定時間（例えば、６０〜１２０秒）経過したことで、放電ランプ１０が安定した状態であると判定する。斯かる判定に代えて、例えば、演算部３６は、放電ランプ１０の電圧値が安定した状態（例えば、±２Ｖの範囲）が所定時間（例えば、１５〜３０秒）継続したことで、放電ランプ１０が安定した状態であると判定してもよい。
【００５９】
演算部３６は、放電ランプ１０が安定した状態であると判定すると（Ｓ１１の「Ｙ」）、その後、電圧検出部３１が所定時間（例えば、１〜２０秒）検出した電圧値に基づいて（Ｓ１２）、安定時電圧値Ｖｓを演算する（Ｓ１３）。本実施形態においては、安定時電圧値Ｖｓは、電圧検出部３１が所定時間検出した電圧値の平均値を安定電圧値Ｖｓとする。
【００６０】
ところで、電極先端の突起部１２ｃの成長、摩耗を急激に行うと、好適な電極形状を保つことができない。よって、演算部３６は、安定時電圧値Ｖｓと目標電圧基準値Ｖｒを比較する。このとき、安定時電圧値Ｖｓが「目標電圧基準値Ｖｒ＋電圧減少可能値Ｖｄ（例えば、２〜１０Ｖの値であって、好ましくは５Ｖ）」以上である場合（Ｓ１４の「Ｎ」）、演算部３６は、目標電圧値Ｖ０を、「安定時電圧値Ｖｓ−電圧減少可能値Ｖｄ」として演算する（Ｓ１５）。
【００６１】
また、安定時電圧値Ｖｓが「目標電圧基準値Ｖｒ−電圧上昇可能値Ｖｕ（例えば、２〜１０Ｖの値であって、好ましくは５Ｖ）」以下である場合（Ｓ１６の「Ｎ」）、演算部３６は、目標電圧値Ｖ０を、「安定時電圧値Ｖｓ＋電圧増加可能値Ｖｕ」として演算する。（Ｓ１７）そして、安定時電圧値Ｖｓが、「目標電圧基準値Ｖｒ＋電圧減少可能値Ｖｄ」より小さく（Ｓ１４の「Ｙ」）、且つ、「目標電圧基準値Ｖｒ−電圧上昇可能値Ｖｕ」より大きい（Ｓ１６の「Ｙ」）場合、演算部３６は、目標電圧値Ｖ０を、目標電圧基準値Ｖｒとして演算する（Ｓ１８）。
【００６２】
なお、目標電圧値Ｖ０の演算方法は、斯かる方法だけに限られない。例えば、ステップ１８（Ｓ１８）において、演算部３６は、目標電圧値Ｖ０を、安定時電圧値Ｖｓとしてもよい。また、例えば、ステップ１４〜１７（Ｓ１４〜１７）を削除し、ステップ１８（Ｓ１８）において、演算部３６は、目標電圧値Ｖ０を、安定時電圧値Ｖｓとしてもよい。また、ステップ１５及び１７（Ｓ１５、Ｓ１７）の後は、所定時間（例えば、１０〜３０分）経過後、ステップ１２に戻ってもよい。
【００６３】
次に、本実施形態に係る放電ランプ点灯装置１の効果について、図５及び図６を参酌して説明する。
【００６４】
＜実施例、比較例＞
実施例は、図１〜図６に示す上記実施形態に係る放電ランプ点灯装置１である。
比較例は、実施例に対して、第２周波数ｆ２が単に予め設定された一つの周波数で制御されている放電ランプ点灯装置である。
【００６５】
＜実験方法＞
実施例及び比較例に係る放電ランプ点灯装置を用いて、放電ランプ１０の点灯試験を行った。点灯試験は、定格電力２５０Ｗのショートアーク型放電ランプに対して、１２０分の点灯と１５分の消灯とを繰り返し行い、その際の放電ランプ１０のランプ電圧値を測定した。
【００６６】
＜実験結果＞
比較例に係る放電ランプ１０においては、目標電圧値Ｖ０が７５Ｖに設定されているのに対して、図５に示すように、初期のランプ電圧が７４Ｖ〜７５Ｖの範囲でやや変動しており、さらに、時間が３００分を経過すると、ランプ電圧が７５Ｖ〜７７Ｖの範囲で大きく変動した。
それに対して、実施例に係る放電ランプ１０においては、目標電圧値Ｖ０が７５Ｖに演算され、図６に示すように、初期だけでなく、時間が５００分を経過しても、ランプ電圧が７５Ｖで一定であった。
【００６７】
このように、比較例においては、初期でも、ランプ電圧は、目標電圧値Ｖ０付近でやや変動しており、時間が経過するにつれて、ランプ電圧は、目標電圧値Ｖ０から外れて、しかも、大きく変動している。それに対して、実施例においては、初期だけでなく、時間が経過しても、ランプ電圧は、目標電圧値Ｖ０で一定である。したがって、実施例においては、放電ランプ１０に印加される電圧値を目標電圧値Ｖ０で一定にすることができている。
【００６８】
以上より、本実施形態に係る放電ランプ点灯装置１は、所定のガスが封入された放電容器１１の内部に一対の電極１２，１２が対向配置される放電ランプ１０に対して、交流電流を供給する給電部２と、前記放電ランプ１０に印加されるランプ電圧値を検出する電圧検出部３１と、ランプ電圧値の目標電圧値Ｖ０を記憶する記憶部３５と、前記ランプ電圧値が目標電圧値Ｖ０で一定となるように、前記電圧検出部３１が検出した検出電圧値Ｖ１と前記目標電圧値Ｖ０との偏差に基づいて、前記給電部２が前記放電ランプ１０に供給する交流電流の周波数及び電流値の少なくとも一方を制御対象として制御する制御部３３と、を備える。
【００６９】
斯かる構成によれば、給電部２は、放電ランプ１０に交流電流を供給しており、電圧検出部３１は、放電ランプ１０に印加される電圧値を検出している。そして、制御部３３は、電圧検出部３１が検出した検出電圧値Ｖ１と記憶部３５が記憶している目標電圧値Ｖ０との偏差に基づいて、給電部２が放電ランプ１０に供給する交流電流の周波数及び電流値の少なくとも一方を、制御対象として制御している。これにより、ランプ電圧値を目標電圧値Ｖ０で一定にすることができるため、放電ランプ１０に印加される電圧値を一定にすることができる。
【００７０】
また、本実施形態に係る放電ランプ点灯装置１は、前記放電ランプ１０に交流電流の供給を開始して所定時間が経過した後に前記電圧検出部３２が検出した電圧値に基づいて、前記目標電圧値Ｖ０を演算する演算部３６を備える、という構成である。
【００７１】
斯かる構成によれば、演算部３６は、放電ランプ１０に交流電流の供給を開始して所定時間が経過した後に、電圧検出部３１が検出した電圧値に基づいて、目標電圧値Ｖ０を演算している。これにより、例えば、目標電圧値Ｖ０は、交流電流を供給している現在の放電ランプ１０に適した電圧値とすることができる。また、例えば、目標電圧値Ｖ０を、放電ランプ１０の点灯初期、即ち、電極１２の形状が好適である時期の電圧値とすることができる。
【００７２】
また、本実施形態に係る放電ランプ点灯装置１においては、前記制御部３３は、前記交流電流の周波数が第１周波数ｆ１である第１制御方式と、前記交流電流の周波数が前記第１周波数ｆ１以下の第２周波数ｆ２である第２制御方式とを繰り返すように、前記交流電流の周波数を制御し、そして、前記検出電圧値Ｖ１と前記目標電圧値Ｖ０との偏差に基づいて、前記第１周波数ｆ１と前記第２周波数ｆ２との比を制御する、という構成である。
【００７３】
斯かる構成によれば、制御部３３は、交流電流の周波数が第１周波数ｆ１である第１制御方式と、交流電流の周波数が第１周波数ｆ１以下の第２周波数ｆ２である第２制御方式とを繰り返すように、交流電流の周波数を制御している。そして、制御部３は、検出電圧値Ｖ１と目標電圧値Ｖ０との偏差に基づいて、第１周波数ｆ１と第２周波数ｆ２との比を制御している。
【００７４】
このとき、検出電圧値Ｖ１が目標電圧値Ｖ０よりも大きい場合、制御部３３は、第１周波数ｆ１に対する第２周波数ｆ２の比を、小さくする。反対に、検出電圧値Ｖ１が目標電圧値Ｖ０よりも小さい場合、制御部３３は、第１周波数ｆ１に対する第２周波数ｆ２の比を、大きくする。これにより、ランプ電圧値を目標電圧値Ｖ０で一定に制御することができる。
【００７５】
また、本実施形態に係る放電ランプ点灯装置１においては、前記制御部３３は、前記交流電流の周波数が第１周波数ｆ１である第１制御方式と、前記交流電流の周波数が前記第１周波数ｆ１以下の第２周波数ｆ２である第２制御方式とを繰り返すように、前記交流電流の周波数を制御し、そして、前記検出電圧値Ｖ１と前記目標電圧値Ｖ０との偏差に基づいて、前記第１制御方式で制御する期間Ｔ１と前記第２制御方式で制御する期間Ｔ２との比を制御する、という構成である。
【００７６】
斯かる構成によれば、制御部３は、交流電流の周波数が第１周波数ｆ１である第１制御方式と、交流電流の周波数が第１周波数ｆ１以下の第２周波数ｆ２である第２制御方式とを繰り返すように、交流電流の周波数を制御している。そして、制御部３は、検出電圧値Ｖ１と目標電圧値Ｖ０との偏差に基づいて、第１制御方式で制御する期間Ｔ１と第２制御方式Ｔ２で制御する期間との比を制御している。
【００７７】
このとき、検出電圧値Ｖ１が目標電圧値Ｖ０よりも大きい場合、制御部３３は、第１制御方式で制御する期間Ｔ１に対する第２制御方式で制御する期間Ｔ２の比を、大きくする。反対に、検出電圧値Ｖ１が目標電圧値Ｖ０よりも小さい場合、制御部３３は、第１制御方式で制御する期間Ｔ１に対する第２制御方式で制御する期間Ｔ２の比を、小さくする。これにより、ランプ電圧値を目標電圧値Ｖ０で一定にすることができる。
【００７８】
なお、放電ランプ点灯装置は、上記した実施形態の構成に限定されるものではなく、また、上記した作用効果に限定されるものではない。また、放電ランプ点灯装置は、本発明の要旨を逸脱しない範囲内において種々変更を加え得ることは勿論である。例えば、下記する各種の変更例に係る構成や方法等を任意に一つ又は複数を選択して、上記した実施形態に係る構成や方法等に採用してもよいことは勿論である。特に、図３及び図７〜図１１の制御の一つ又は複数を選択して採用してもよいことは勿論である。
【００７９】
上記実施形態に係る放電ランプ点灯装置１においては、制御装置３は、第２周波数ｆ２を変化させることで、第１周波数ｆ１と第２周波数ｆ２との比を制御する、という構成である。しかしながら、放電ランプ点灯装置は、斯かる構成に限られない。例えば、放電ランプ点灯装置においては、制御装置３は、第１周波数ｆ１を変化させることで、第１周波数ｆ１と第２周波数ｆ２との比を制御する、という構成でもよく、また、例えば、第１周波数ｆ１及び第２周波数ｆ２の両方を変化させることで、第１周波数ｆ１と第２周波数ｆ２との比を制御する、という構成でもよい。
【００８０】
また、上記実施形態に係る放電ランプ点灯装置１においては、制御装置３は、第２制御期間Ｔ２を変化させることで、第１制御期間Ｔ１と第２制御期間Ｔ２との比を制御する、という構成である。しかしながら、放電ランプ点灯装置は、斯かる構成に限られない。例えば、放電ランプ点灯装置においては、制御装置３は、図７に示すように、第１制御期間Ｔ１，Ｔ１ａ，Ｔ１ｂを変化させることで、第１制御期間Ｔ１と第２制御期間Ｔ２との比を制御する、という構成でもよい。
【００８１】
また、上記実施形態に係る放電ランプ点灯装置１においては、制御装置３は、第２周波数ｆ２の周期の回数を変化させることなく、第２周波数ｆ２の周波数を変化させることにより、第２制御期間Ｔ２を変化させ、それにより、第１制御期間Ｔ１と第２制御期間Ｔ２との比を制御する、という構成である。しかしながら、放電ランプ点灯装置は、斯かる構成に限られない。
【００８２】
例えば、放電ランプ点灯装置においては、制御装置３は、図８に示すように、第２周波数ｆ２の周波数を変化させることなく、第２周波数ｆ２の周期の回数を変化させることにより、第２制御期間Ｔ２を変化させ、それにより、第１制御期間Ｔ１と第２制御期間Ｔ２との比を制御する、という構成でもよい。また、例えば、放電ランプ点灯装置においては、制御装置３は、第２周波数ｆ２の周波数と周期の回数との両方を変化させることにより、第２制御期間Ｔ２を変化させ、それにより、第１制御期間Ｔ１と第２制御期間Ｔ２との比を制御する、という構成でもよい。
【００８３】
また、上記実施形態に係る放電ランプ点灯装置１においては、制御装置３は、交流電流の周波数が第１周波数ｆ１である第１制御方式と、交流電流の周波数が第１周波数ｆ１以下の第２周波数ｆ２である第２制御方式とを繰り返す、という構成である。しかしながら、放電ランプ点灯装置は、斯かる構成に限られない。例えば、放電ランプ点灯装置においては、制御装置３は、図９に示すように、検出電圧値Ｖ１と目標電圧値Ｖ０との偏差に基づいて、交流電流の周波数ｆ３を制御する、という構成でもよい。
【００８４】
斯かる構成によれば、制御装置３は、検出電圧値Ｖ１と目標電圧値Ｖ０との偏差に基づいて、交流電流の周波数ｆ３を制御している。そして、検出電圧値Ｖ１が目標電圧値Ｖ０よりも大きい場合、制御装置３は、交流電流の周波数ｆ３ａ（＜ｆ３）を小さくする。反対に、検出電圧値Ｖ１が目標電圧値Ｖ０よりも小さい場合、制御装置３は、交流電流の周波数ｆ３ｂ（＞ｆ３）を大きくする。
【００８５】
このように、検出電圧値Ｖ１が目標電圧値Ｖ０よりも大きい場合には、電極１２の頭部１２ａの先端の突起部１２ｃの摩耗が進んでおり、これは放電で蒸発した金属が突起部１２ｃに帰還せずに、頭部１２ａの広い範囲に帰還していることが考えられる。したがって、交流電流の周波数ｆ３を小さくすることで、電極１２の先端部の温度を増加させる。これにより、突起部１２ｃへの金属の帰還、堆積が促進され、電極１２を好適な形状で維持することができると考えられる。
【００８６】
反対に、検出電圧値Ｖ１が目標電圧値Ｖ０よりも小さい場合には、電極１２の頭部１２ａの先端の突起部１２ｃへの金属の堆積が進み、突起部１２ｃの高さが大きいことが考えられる。よって、交流電流の周波数ｆ３を大きくすることで、電極１２の先端部の温度を低下させる。これにより、突起部１２ｃへの金属の帰還、堆積が抑制され、電極１２を好適な形状で維持することができると考えられる。このようにして、ランプ電圧値を目標電圧値Ｖ０で一定にすることができる。
【００８７】
また、上記実施形態に係る放電ランプ点灯装置１においては、制御装置３は、放電ランプ１０に供給する交流電流の周波数を制御対象として制御する、という構成である。しかしながら、放電ランプ点灯装置は、斯かる構成に限られない。例えば、放電ランプ点灯装置においては、制御装置３は、図１０及び図１１に示すように、放電ランプ１０に供給する交流電流の電流値を制御対象として制御する、という構成でもよい。また、例えば、制御装置３は、放電ランプ１０に供給する交流電流の周波数と電流値との両方を制御対象として制御する、という構成でもよい。
【００８８】
図１０に係る放電ランプ点灯装置においては、制御装置３は、交流電流が第１電流値Ａ１である第１制御方式と、交流電流が第１電流値Ａ１以上の第２電流値Ａ２である第２制御方式とを繰り返すように、交流電流の電流値を制御し、そして、検出電圧値Ｖ１と目標電圧値Ｖ０との偏差に基づいて、第１電流値Ａ１と前記第２電流値Ｖ２との比を制御する、という構成である。
【００８９】
斯かる構成によれば、制御装置３は、交流電流が第１電流値Ａ１である第１制御方式と、交流電流が第１電流値Ａ１以上の第２電流値Ａ２である第２制御方式とを繰り返すように、交流電流の電流値を制御している。そして、制御装置３は、検出電圧値Ｖ１と目標電圧値Ｖ０との偏差に基づいて、第１電流値Ａ１と第２電流値Ａ２との比を制御している。
【００９０】
このとき、検出電圧値Ｖ１が目標電圧値Ｖ０よりも大きい場合、制御装置３は、第２電流値Ａ２を大きくすることで（Ａ２ａ）、第１電流値Ａ１に対する第２電流値Ａ２の比を大きくする（Ａ２ａ／Ａ１＞Ａ２／Ａ１）。反対に、検出電圧値Ｖ１が目標電圧値Ｖ０よりも小さい場合、制御装置３は、第２電流値Ａ２を小さくすることで（Ａ２ｂ）、第１電流値Ａ１に対する第２電流値Ａ２ｂの比を小さくする（Ａ２ｂ／Ａ１＜Ａ２／Ａ１）。これにより、ランプ電圧値を目標電圧値Ｖ０で一定にすることができる。
【００９１】
このように、検出電圧値Ｖ１が目標電圧値Ｖ０よりも大きい場合には、電極１２の頭部１２ａの先端の突起部１２ｃの摩耗が進んでおり、これは放電で蒸発した金属が突起部１２ｃに帰還せずに、頭部１２ａの広い範囲に帰還していることが考えられる。したがって、第１電流値Ａ１に対する第２電流値Ａ２の比を大きくすることで、電極１２の先端部の温度を増加させる。これにより、突起部１２ｃへの金属の帰還、堆積が促進され、電極１２を好適な形状で維持することができると考えられる。
【００９２】
反対に、検出電圧値Ｖ１が目標電圧値Ｖ０よりも小さい場合には、電極１２の頭部１２ａの先端の突起部１２ｃへの金属の堆積が進み、突起部１２ｃの高さが大きいことが考えられる。よって、第１電流値Ａ１に対する第２電流値Ａ２の比を小さくすることで、電極１２の先端部の温度を低下させる。これにより、突起部１２ｃへの金属の帰還、堆積が抑制され、電極１２を好適な形状で維持することができると考えられる。このようにして、ランプ電圧値を目標電圧値Ｖ０で一定にすることができる。
【００９３】
また、制御装置３は、６つのセグメントＳ１〜Ｓ６からなるグループＧを繰り返しており、第１セグメントＳ１〜第５セグメントＳ５を第１制御方式とし、第６セグメントＳ６のみを第２制御方式とすることで、第１制御方式と第２制御方式とを繰り返している。各セグメントＳ１〜Ｓ６は、全て同じ時間であってもよく、異なる時間であってもよい。
【００９４】
また、図１１に係る放電ランプ点灯装置においては、制御装置３は、交流電流が第１電流値Ａ１である第１制御方式と、交流電流が第１電流値Ａ１以上の第２電流値Ａ２である第２制御方式とを繰り返すように、交流電流の電流値を制御し、そして、検出電圧値Ｖ１と目標電圧値Ｖ０との偏差に基づいて、第１制御方式で制御する期間と第２制御方式で制御する期間との比を制御する、という構成である。
【００９５】
斯かる構成によれば、制御装置３は、交流電流が第１電流値Ａ１である第１制御方式と、交流電流が第１電流値Ａ１以上の第２電流値Ａ２である第２制御方式とを繰り返すように、交流電流の電流値を制御している。そして、制御装置３は、検出電圧値Ｖ１と目標電圧値Ｖ０との偏差に基づいて、第１制御方式で制御する期間と第２制御方式で制御する期間との比を制御している。
【００９６】
このとき、検出電圧値Ｖ１が目標電圧値Ｖ０よりも大きい場合、制御装置３は、複数（図１１においては１２）のセグメントＳ１〜Ｓ１２からなるグループＧにおいて、第２制御方式で制御するセグメントの回数を増加する。即ち、第１制御方式で制御する期間に対する第２制御方式で制御する期間の比を、大きくする。
【００９７】
反対に、検出電圧値Ｖ１が目標電圧値Ｖ０よりも小さい場合、制御装置３は、複数のセグメントＳ１〜Ｓ１２からなるグループＧにおいて、第２制御方式で制御するセグメントの回数を減少させる。即ち、第１制御方式で制御する期間に対する第２制御方式で制御する期間の比を、小さくする。これにより、ランプ電圧値を目標電圧値Ｖ０で一定にすることができる。
【００９８】
なお、制御装置３は、放電ランプ１０に供給する交流電流の電流値を制御対象とする場合に、図１０及び図１１に係る構成だけでなく、通常、第１制御方式であり、所定時間の間隔で、交流電流の極性が変わる直前に第２制御方式にする、という構成でもよい。また、制御装置３は、通常、第１制御方式であり、所定時間の間隔で、交流電流の極性が変わった直後に第２制御方式にする、という構成でもよく、さらに、通常、第１制御方式であり、所定時間の間隔で、交流電流の極性が変わった直後と変わる直前とに第２制御方式にする、という構成でもよい。このような構成において、電極１２の温度をより高めるためには、交流電流の極性が変わる直前に第２制御方式にする、という構成が好ましい。
【００９９】
また、上記実施形態に係る放電ランプ点灯装置１においては、制御装置３は、電圧検出部３１が検出した検出電圧値Ｖ１と目標電圧値Ｖ０との偏差に基づいて、制御対象を制御する、という構成である。しかしながら、放電ランプ点灯装置は、斯かる構成に限られない。
【０１００】
例えば、放電ランプ点灯装置においては、制御装置３は、電圧検出部３１が検出した電圧値と電流検出部３２が検出した電流値とに基づいて、放電ランプ１０に供給する電力が一定となるように定電力制御を行った上で、電流検出部３２が検出した電流値と目標電流値との偏差に基づいて、制御対象を制御する、という構成でもよい。このように、制御装置３は、間接的に、電圧検出部３１が検出した検出電圧値Ｖ１と目標電圧値Ｖ０との偏差に基づいて、制御対象を制御する、という構成でもよい。
【０１０１】
また、上記実施形態に係る放電ランプ点灯装置１においては、制御装置３は、目標電圧値Ｖ０を演算する、という構成である。しかしながら、放電ランプ点灯装置は、斯かる構成に限られない。例えば、放電ランプ点灯装置においては、制御装置３は、予め設定された目標電圧値Ｖ０に基づいて、制御する、という構成でもよい。
【０１０２】
また、上記実施形態に係る放電ランプ点灯装置１は、ユーザに指示が入力される入力部４を備えている、という構成である。しかしながら、放電ランプ点灯装置１は、斯かる構成に限られない。例えば、放電ランプ点灯装置においては、制御装置３は、外部から送信される信号（点灯指示信号、電力変更指示信号）を受信し、情報取得部３４で取得する、という構成でもよい。
【符号の説明】
【０１０３】
１…放電ランプ点灯装置、２…給電部、３…制御装置、４…入力部、１０…放電ランプ、１１…放電容器、１２…電極、１２ａ…頭部、１２ｂ…軸部、１２ｃ…突起部、１３…封止部、１４…金属箔、１５…外部リード、２１…降圧チョッパ部、２２…ＤＣ／ＡＣ変換部、２２ａ…ドライバ、２３…スタータ部、３１…電圧検出部、３２…電流検出部、３３…制御部、３３ａ…電力制御部、３３ｂ…周波数制御部、３４…情報取得部、３５…記憶部、３６…演算部、Ｖ０…目標電圧値、Ｖ１…検出電圧値
【図１】
2017079190.tif 000003
【図２】
2017079190.tif 000004
【図３】
2017079190.tif 000005
【図４】
2017079190.tif 000006
【図５】
2017079190.tif 000007
【図６】
2017079190.tif 000008
【図７】
2017079190.tif 000009
【図８】
2017079190.tif 000010
【図９】
2017079190.tif 000011
【図１０】
2017079190.tif 000012
【図１１】
2017079190.tif 000013